(57)【特許請求の範囲】
【請求項１】
厚さの変わらない一枚の板状のものに既存のオルゴールムーブメントを接着する面を設け、その同一面や反対面に凸部を設け、凸部先端に磁石の着いたもので構成される器具で、その磁石でオルゴールケースに接着される事を前提としないシンプルな構造を特徴としたオルゴールムーブメントを接着または接着固定する事を前提とした器具。
【請求項２】
請求項１の、器具に、既存のシリンダーオルゴールムーブメントを接着固定し作動させた時、その磁力によって接着固定され片手のみで作動させる事が可能な請求項１の器具。
【請求項３】
オルゴールムーブメントを接着する面の反対面に凸部を設けた請求項１の、器具に、既存のゼンマイ式のシリンダーオルゴールムーブメントを接着固定し、そのハンドルをつけ作動させた時、上記ゼンマイ式オルゴールムーブメントの作動でハンドルとそのハンドルの回転のみによって請求項１の器具自体が回転運動を伴い複雑に動き、請求項１の器具に有する凸部先端の磁石の面が円形な請求項１の器具。
【請求項４】
請求項１の器具本体を横から見て、上面と下面に凸部を設け、凸部先端に着いた磁石の磁力によって宙に固定される請求項１の器具。
【発明の詳細な説明】
【技術分野】
【０００１】  本発明はオルゴールムーブメント製造や玩具製造や保存方法に役立ち、従来の音を楽しむだけの嗜好品であるオルゴールとは違う別な用途のオルゴールにも役立つ。
【背景技術】
【０００２】  オルゴールとは主に曲別に異なるシリンダーと櫛歯とシリンダーを回す機械で構成された音源発生装置のシリンダーオルゴールムーブメント（以下ムーブメント）が、その発する音を増幅する為の硬質な木やプラスティックで出来たオルゴールケースと呼ばれる箱（以下ケース）にネジで接着固定され収納されているものを呼ぶ。【０００３】  現在、ムーブメント製造における世界的シェアにおいては日本電産サンキョー商事が世界で圧倒的なシェアを誇り、ケースにムーブメントを接着固定するネジを用いている為、ムーブメントに設けられたネジの位置は事実上、世界規格となっている。【０００４】  日本電産サンキョー商事製ムーブメントには異なる種類の物があり、その一つにゼンマイ式ムーブメント（以下、ゼンマイ式）がありケースに収納されている状態で、軽量なオルゴールの場合、片手でオルゴールを持ち、空いた手で取り外し可能なハンドルを使ってゼンマイを巻き、さらにハンドルを外して作動させる。【０００５】  また一つはハンドル手動式ムーブメント（以下、ハンドル手動式）である。ハンドル手動式はケースに収納されている状態でケースから取り外しが出来ないハンドルが出ており、軽量なオルゴールの場合、片手でオルゴールを押さえ、空いた手でそのハンドルを手で回す事で作動させる。【０００６】    音を増幅する為のケースは、収納されるムーブメントより体積が大きい。音を増幅する為のケースを大型化する事によりオルゴールの音は大きくなり、また大型化される故、そのスペースに収められる範囲で音階の多くなった大型のムーブメントが収納され、大型化されるオルゴールがある。しかし重いのとムーブメント及び、ケース単体が高級な素材で製作されるため高価である。また、音の増幅を抑えた軽量で安価な小型オルゴールもある。軽量オルゴールと大型オルゴールは最低でも価格差が１０倍以上になるので現在、流通量で軽量オルゴールばかりが普及している。【０００７】  オルゴールはケースにムーブメントが接着固定されている事によりムーブメントの発する音を増幅する事が出来る。また、その際、音を増幅する為にケースはなるべく硬質でなくてはならない。【０００８】  従来のオルゴールは棚や机上の水平面に水平に設置する必要がある。その際の設置場所はオルゴール本体であるケース下面以上の面積を必要とする。【０００９】  オルゴール販売店の棚や机上の水平面にはオルゴールが水平に設置されている。また、仕切のついたムーブメント単体を個別に保管する専用の棚や箱もあるが、それらも水平面に水平に設置されている。【００１０】  ムーブメントはオルゴール販売店で曲別に単体で販売されていて視聴が出来る。【００１１】  またオルゴールの異なる曲の選別は、上記シリンダー別となっておらず、事実上ムーブメント別となっている。【００１２】  ゼンマイ式の脱着可能なＴ字型のハンドルはムーブメントをケースに接着固定する下面にあり、ムーブメントをケースに収納する際にはハンドルを外してからケースに収納し、ケースに接着固定する下面にネジで接着固定して作動させる。【００１３】  またムーブメントはケースに収納され使用する事が前提なので、特にゼンマイ式はその下面にハンドル脱着用のが出てい���、水平面に設置してもが有る為、水平に設置出来ずに傾く。またハンドルをつけてその状態でゼンマイ式を作動させるのはオルゴール販売店によってはタブーとされている。【００１４】  業界１位のオルゴールメーカーの２０１０年における新製品発表は無かった。【００１５】  ムーブメントは精密機械で、落とすと壊れ易い。
【発明が解決しようとする課題】
【００１６】  ケースを大型化する事によりオルゴールの音は大きくなる為、大型化されるオルゴールがあるが、人が携帯して持ち運ぶのは困難となる。軽量な小型のオルゴールもあるが、音は小さいしムーブメントより体積が大きく携帯性に優れているとは言えない。
【００１７】  また、従来のオルゴールはハンドル手動式の場合、ハンドルを回して作動させる際に小型のケースでは本体が軽量な為、どうしてもオルゴール本体が動いてしまい、ハンドルを回さない方の手でオルゴール本体を押さえなければならない。
【００１８】  大型のオルゴールはその重さの為、ゼンマイ式やハンドル手動式でも片手でオルゴールを作動させられるが、軽量オルゴールはどうしても両手を使って作動させなければならない。片手が不自由な人には作動させる事が不可能で、安価なオルゴールと高価なオルゴールの値段の差もあり、手の不自由な人にオルゴールを普及させるのは困難である。
【００１９】  更に、ハンドル手動式はケースに収納されている時、ケースからハンドルが出ている物が主で、見た目がすっきりしない。またハンドル手動式オルゴールをバッグ等に入れられて持ち運ばれる際、バッグ等の中にある携帯音楽プレーヤーのイヤーホーンに代表される、長いひも状のものに露出したオルゴールのハンドルに絡みやすかったり、バッグ等の中にある物体とハンドルがぶつかりオルゴールが作動する事もある。
【００２０】  従来のオルゴールは棚や机上の水平面に水平に設置する必要があるが、設置場所がオルゴール本体であるケース下面面積以下なら設置する事が出来ない。また前記、ムーブメントが発する音を増幅する為、大型化されたケースを持つオルゴールでは大型化されるにつれ設置条件が厳しくなる。
【００２１】  オルゴール販売店の中には棚や机上の水平面に置き切れないほどのオルゴールが設置されており、またムーブメント単体を個別に保管する専用の棚や箱もあり設置場所に困っているので新たな収納方法を模索しなくてはならない。
【００２２】  また、ムーブメントはオルゴール販売店で曲別に単体で販売されていて、ゼンマイ式視聴時にはムーブメントごとに既存のケースに収納されてネジで接着固定し、ハンドルをつけ、ゼンマイを巻き、ハンドルを外して視聴するという手間がかかる。
【００２３】  個人の音楽の好みによる曲の選別が好ましい為、ムーブメントを請求項１の器具に対して速やかに交換可能なカートリッジとして利用する事が好ましい。
【００２４】  ゼンマイ式の脱着可能なハンドルは、ムーブメントをケースに接着固定するムーブメント下面にある。
【００２５】  ゼンマイ式本体の下面は脱着可能なハンドルをはずしてもハンドルを接着固定する為の軸が６ｍｍ前後突き出ていて、ムーブメント下面は軸だけ突き出る形で平面にならないので、ケース下面は上記程ではないがある程度のスペースが必要となる。
【００２６】  ケースに収納せず、Ｔ型のハンドルをつけたままの素のゼンマイ式を棚や机上の水平面に設置すると、ムーブメントは本体のエッジとハンドルのエッジが水平面に接着し、傾いて接地するが、その状態でムーブメントを作動させると、ハンドルが回転し、ムーブメントは本体のエッジとＴ型のハンドルエッジの接着位置が順次変わる為、ムーブメント本体がゆっくりと上下にピッチング運動しながら複雑に回転する。しかしピッチングする角度が一番大きな角度の状態から一気に落下する様に落ち、ムーブメントの角が水平面に勢い良く当たる為、衝撃となるので、精密機械であるムーブメントが壊れる可能性が出てくる。
【００２７】  前記、一気に落下する様に落ちる事を解決すれば何か新しいものが出来るはずである。
【００２８】  近年、益々オルゴールの新製品が発売されなくなっており、オルゴール業界は新製品の発表を待っている。
【課題を解決するための手段】
【００２９】  請求項１から請求項４までの器具を作成し、請求項１から請求項４までの用途やムーブメントに合わせて器具面の同一面から反対面に貫通するネジ穴や横長のスリット、ムーブメントのハンドルを通す穴や、ハンドル軸から器具横に至る切り欠き部（以下、切り欠き部）を設ける。これらは主にムーブメントをネジで接着固定したり凸部を接着固定する為である。
【００３０】  請求項１に設けられる凸部先端に磁石の着いた磁石の面積や面の形状や大きさ、磁石の種類とその磁力は、その用途により変わる。
【００３１】  請求項１にある一枚の板状のものから設けられる凸部の角度や先端の角度や凸部の長さや数は用途により変わる。
【００３２】  本発明はムーブメントを接着する面に凸部先端に磁石の着いたもの（以下磁石）を設けたものと、ムーブメントを接着する反対面に磁石の着いたものと、ムーブメントを接着する面と反対面の両面に磁石の着いたものの３種類ある。
【発明の効果】
【００３３】  本発明はシンプルな構造であり、厚さの変わらない一枚の板状のもので加工されそこに磁石を設けるだけなので作成する際の加工と工程が容易となる。また従来の高級な素材のケースを必要とせず、ムーブメントのみでその発する音色が楽しめるのでケースの分だけでも製造コストを抑え、高級なムーブメントを普及させる事が出来る。
【００３４】  本発明を図１から図６も使って説明する。
【００３５】  請求項１の器具にムーブメントを接着または接着固定された状態の器具（以下本器具）により、磁力により接着固定出来る金属物体（以下金属）に接着固定される。
【００３６】  本器具を磁石で金属に接着固定して作動させた時、金属は硬質な物体なのでケースの役割を務め、ムーブメントの発する音を増幅する事が出来る為、ケースを必要としないのでオルゴールの様に使える携帯性の高い本器具が作成出来る。
【００３７】  また、これにより片手が不自由な人にも軽量のオルゴールに収納されているゼンマイ式、及びハンドル手動式ムーブメントのハンドルを回す事が可能となり、片手でムーブメントを作動させるとムーブメントから発する音が増幅されるのでオルゴールの様に音色を楽しめる。
【００３８】  ハンドル手動式の場合はムーブメントの反対面に磁石を設けた請求項１と請求項２器具を作成し器具とムーブメントを接着固定する。なお、図１のＢがその本器具でありその際、設けられる磁石の種類は図１の磁石Ｚの面積ならフェライト磁石で実現可能である。図２のＢが、金属Ｓに接着固定されてハンドルが回せる状態の本器具である。
【００３９】  ゼンマイ式の場合、小型の器具を作成するならムーブメントの同一面に磁石を設けた請求項１と請求項２器具を作成し、器具とムーブメントを接着固定する。これを金属Ｓに接着固定すれば前記ハンドル手動式と同様の効果が可能となる。
【００４０】  ハンドル手動式のハンドルの問題については、軽量なハンドル手動式のネジで接着固定され、磁石が反対面に設けられたた請求項１の本器具において、ムーブメントのネジの位置に合わせて器具面に上記、課題を解決する手段のネジ穴と横長のスリットを設ける。そして蝶ネジでムーブメントを接着固定する事により、横長のスリットの長さと向きに合わせて本器具上のムーブメントのスライド移動が可能となる。
【００４１】  本器具を作動させない時は、スリット上の蝶ネジを緩め、スリットの端から端にムーブメントを動かせば器具本体面積内にハンドルが納まるので再度蝶ネジをしめてムーブメントを接着固定すれば良い。これにより携帯している時の見た目の良さやバッグ等に入れた際のひも状のものに絡まる可能性やムーブメントの誤作動も低くなる。
【００４２】  図１のＢがハンドルを納めず作動させる状態の本器具であり、ここから蝶ネジＪ２を緩めて図にあるスリットＪＪの右端から左端にムーブメントＨをスライドさせるとハンドルＨ１も左へ移動する。
【００４３】  設置場所の問題については既に多くのオルゴールやその他のものが水平面に設置されていると仮定し、水平面に設置しない事が最善策である。本発明はケースの保管を前提としていないので、ムーブメントの新たな設置場所と方法を提示する。請求項１の器具にムーブメントを固定接着して垂直面の金属につければ良いのである。
【００４４】  また、ゼンマイ式ムーブメントにおいては、蝶ネジを利用しムーブメントを接着固定して水平面や垂直面に設置しない新たな保管方法がある。これは段のあるスチール棚において特に有効である。請求項１のムーブメント同一面に一枚の板状のものから設けられる磁石の角度を９０度の直角とし、磁石先端の角度を斜めにする。上記課題を解決する為の手段にあるネジ穴と切り欠き部を前記請求項１の器具に設け、そこにムーブメントを接着し、蝶ネジで固定する。その本器具をスチール棚水平面の上にあたる天井面に吊るす様にして磁力で接着固定すればスチール棚天井面等の場所にムーブメントを設置する新たなスペースが確保され、水平面に水平に設置する必要が無くなる。
【００４５】    図３のＡ２がその横側から見た図である。この図で設けられる磁石の種類は図３の磁石Ｚの面が円形とすれば図の面積ならネオジム磁石が必要になるが、磁石を設ける面にある磁石の数を増やせば。フェライト磁石でも可能となる。
【００４６】  これはまた切り欠き部を設けたものなのでゼンマイ式を接着固定する際は図３の様にハンドルＭ１をつけたまま脱着出来て、また蝶ネジを用いる事により、工具も要らずスピーディーにムーブメントの脱着が可能である。
【００４７】  さらに、この器具はムーブメントを斜め上から覗く視覚的な要素も含み、オルゴール愛好家やオルゴール販売店のディスプレーにも役立ち、また曲別のムーブメント視聴の際には旧来より手間や時間に優れた性能を発揮し、スペースの問題や視聴の際の問題を解決し、また新たなるディスプレーの提案が出来るなどオルゴール業界に役に立つ器具となる。
【００４８】  上記課題であるケースに収納せず、Ｔ型のハンドルをつけたままの素のゼンマイ式を棚や机上の水平面に設置すると、ムーブメントは本体のエッジとハンドルのエッジが水平面に接着し、傾いて接地するが、その状態でムーブメントを作動させると、ハンドルが回転し、ムーブメントは本体のエッジとＴ型のハンドルエッジの接着位置が順次変わる為、ムーブメント本体がゆっくりと上下にピッチング運動しながら複雑に回転するがピッチングする角度が一番大きな角度の状態から一気に落下する様に落ち、ムーブメントの角が水平面に勢い良く当たり、衝撃となる問題で本発明は解決に至った。
【００４９】  問題を解決する手段におけるネジ穴とムーブメントのハンドルを通す穴と磁石の面が丸い請求項３の器具を作成しゼンマイ式に接着固定し作動させると、素のゼンマイ式を作動する事により生じる落下するように落ちる事を防ぐ事が出来る。
【００５０】  図４がその説明図である。図１のＡと図４のＡが請求項３器具である。
【００５１】  素のゼンマイ式を作動する事により生じる落下するように落ちる原因は、素のムーブメント、本体底面からハンドルのエッジの距離が長くなり、水平面に接着した時、ムーブメントのピッチング角度が大きくなる事と、またムーブメントの形状が四角に近い為、ムーブメント本体のエッジは直線的に接着し、回転する際、そこからとなりの本体のエッジに移行する際、隣り合わせの四角い直線が織り成す角が邪魔をするからである。
【００５２】  単純に比喩して表現すると、磁石の面が丸い請求項３の器具がボールで、四角い素のゼンマイ式がサイコロでありそれらを同じ条件で転がすとボールの方がスムースに回って転がるからである。角のあるサイコロはその角により弾み、素のムーブメント下面は全体的に四角い為、弾んでしまう。磁石Ｚが図１のＺのように円形であれば、磁石Ｚのエッジは常に水平面に対し満遍なく接着されるのである。
【００５３】  これにより本器具作動時にＴ型のハンドルＭ１が回転する為、本器具は落下する様に落ちる事無くスムースにゆっくりと上下の複雑な動きをし、更に不規則な回転運動をする。
【００５４】  また図４ではＴ型のハンドルＭ１のエッジと磁石Ｚのエッジが水平面に接着されているが、ハンドルを外すと磁石Ｚの面、全面に接着され、本器具の自重や磁力により固定される。
【００５５】  図５のＫは図４のＡの動きを応用した請求項３の玩具である。本器具は作動時、スムースにゆっくりと上下の複雑な動きをし、更に不規則な回転運動をする玩具が作成可能だ。
【００５６】  図６のＸは現在、発明者が研究中のムーブメントの種類を選ばない請求項４の器具である。これは外部からの磁力により宙に固定される器具作成を目標としていて、振動を嫌う精密機械であるオルゴールの製作台や風変わりなディスプレーとしての使用を目的としている。
【００５７】  上記に挙げた請求項１からなる器具は全てムーブメントを接着またはネジで固定する為、既存の日本電産サンキョー商事製ムーブメントの交換が可能になり、本発明ユーザー好みの曲のムーブメントに交換可能である。
【００５８】  以上に挙げた以外でもその組み合わせや発想力で本発明はオルゴールムーブメント製造や玩具製造や保存方法に役立ち、従来の音を楽しむだけの嗜好品であるオルゴールとは違う別な用途のオルゴールにも役立つ小型、軽量で部品点数や部品加工数の少ない応用性や実用性の高い器具が実現する可能性が出てくる。拡張性の高いこれこそが本発明の本質であり発明者の求める物である。
【図面の簡単な説明】
【００５９】
【図１】  本発明実施例の構成の斜視図である。（実施例１）
【図２】  本発明の実施方法を示した斜視図である。（実施例２）
【図３】  本発明の実施方法を示した横面図である。（実施例３）
【図４】  本発明の実施方法を示した説明図である。（実施例４）
【図５】  図４（実施例４）を応用した構成の斜視図である。（実施例５）
【図６】  本発明の実施方法を示した横面図である。（実施例６）
【発明を実施するための最良の形態】
【実施例１】
【００６０】  図１は本発明実施例で磁石を設ける面Ｚ１から見た斜視図であり本発明構成図である。【００６１】  請求項１の器具例としてＺを設けたＡの器具であり、Ｚを設けたＢである。Ｍ及びＭ１やＨ及びＨ１は日本電産サンキョー商事製品であり本発明ではない。【００６２】  図１右のＢは磁石Ｚを有し、既存のムーブメントにあるネジ穴の位置に合わせて蝶ネジＪ２を通すネジ穴Ｊ１と横長のスリットＪＪを設け、磁石を設ける面Ｚ１の反対面にハンドル手動式Ｈを蝶ネジＪ２で接着固定した携帯性を重視した請求項２の本発明である。蝶ネジを採用しているのは工具を使わずネジを緩める為で磁石ＺはＡと同じもので磁石の種類はフェライト磁石である。【００６３】  ＭとＨはネジ２点止めでも接着固定されるので、ネジ穴の解りやすい説明も兼ねて図ではネジ穴Ｊ１を露出した状態にしてある。【００６４】  図１右のＢやＨで構成された本器具は、ハンドルＨ１を回せる状態で接着固定れた本器具である。この状態から２つある蝶ネジＪ２を緩めると、スリットＪＪに沿ってムーブメントＨを図の左の方へスライドする。ムーブメントＨにあるハンドルＨ１も合わせて左へスライドされるのでハンドルＨ１がＢの面積内に納まる。【００６５】  図１左のＡは磁石Ｚを有し、既存のムーブメントにあるネジ穴の位置に合わせてネジＪを通すネジ穴Ｊ１を設け、磁石を設ける面Ｚ１の反対面にゼンマイ式ＭをネジＪで接着固定した請求項３の本発明本器具構成である。【００６６】  ゼンマイ式Ｍがゼンマイを巻く為のＴ型のハンドルＭ１を有する為、ＡはＴ型のハンドルＭ１を通す穴Ｏを設ける。尚、Ｔ型のハンドルＭ１は脱着可能であり、従来のケースを有するオルゴールでの作動の際はゼンマイを巻いた後、Ｍ１は取り外され使用される。また、この図の状態でハンドルＭ１を外された状態にするとＯからＺ１の面にハンドル軸が４ｍｍ前後突き出る形になるが、磁石Ｚの高さがそれ以上有るので、ハンドルＭ１を外した本器具は磁石Ｚの全面に水平面、垂直面、天井面があたり接着される。各面が金属の場合は図１左Ａの通りの上記フェライト磁石直径で磁石Ｚの磁力で接着固定が可能である。
【実施例２】
【００６７】  図２は金属面ＳにＺの磁石で接着固定された、本発明による器具を押さえる事無くハンドルＨ１を回せる状態のＢの本器具と、従来の片手で本体Ｉを押さえなければハンドルＨ１が回せない軽量な小型オルゴールＩとを大きさを含めて比較したものである。【００６８】  ＩもＢも同一ハンドル手動式Ｈを接着固定されている状態である。Ｉは片手でＩを押さえて残りの手をＩに接着固定されたＨのハンドルＨ１を回してＨからＩに音を増幅させる従来のオルゴールである。【００６９】  ＢはＢを手で押さえず片手でＢに接着固定されたハンドルＨ１を回し、Ｈから金属面Ｓによりムーブメントの発する音を増幅させる。【００７０】  この図２の状態では図１の反対面から見た本器具Ｂである。
【実施例３】
【００７１】  図３においては上記発明の効果に記載したスペースや視聴や新たなディスプレー等記述で説明したものである。【００７２】  Ｏ２の斜線部が切り欠きである。磁石Ｚの斜線部ではない。【００７３】  磁石Ｚを設けた器具本体Ａ２は図１Ａの反対面に磁石Ｚを設けたものである。ムーブメントは磁石Ｚと同一面にあり、この形態の器具本体はゼンマイ式ＭのハンドルＭ１をつけたままスピーディーに装着する事を特徴とする請求項１の器具であるが、磁石Ｚの磁力や、数量で請求項２の実現も可能である。
【実施例４】
【００７４】  図４は図１左のＡであるゼンマイ式Ｍを接着固定したＡにＴ型のハンドルＭ１をつけて水平面に設置した際の横から見た説明図である。図１のＡの下面から見た図である。Ｔ型のハンドルＭ１をつけたまま水平面に設置すると図４の様にＡは傾いた状態となる。【００７５】  またムーブメントＭを手に持ち、Ｔ型のハンドルＭ１によってＡに設けた磁石ＺはＴ型のハンドルＭ１を邪魔する事無くムーブメントＭのゼンマイを巻ける。ゼンマイを巻いた後に、図４の状態で水平面に設置された場合、図４では磁石ＺのエッジとＴ型のハンドルＭ１の隅のみが水平面に当たっているが、Ｔ型のハンドルＭ１が回転するにつれＺとＭ１の水平面に当たる部分が変化し、本器具はゆっくりとスムースに上下の複雑な動きをし、更に不規則な回転運動をする。【００７６】  この際、磁石Ｚが図１左のＡのように円形で、また図４の様に凸部で厚みを加えれば、磁石Ｚのエッジは常に水平面に均等に当たり、素のムーブメントを同じ状態で作動させる事によって生ずる問題を起さない。器具本体Ａと磁石Ｚの厚みは図１のＡにある様に合わせて８ｍｍ前後である。またその面が円形の磁石Ｚの直径は３０ｍｍ前後になる。【００７７】  本発明が請求項３にあたる。
【実施例５】
【００７８】  図５は上記実施例４のＡを応用した形態であり、図１のＡにあたる上面と右面から見た斜視図になる。【００７９】  図４の本発明Ａを、アルミの一枚板で作った亀の形Ｋに模した。図には表記していないがＫを境目にＭの反対面に磁石Ｚを設けてある。ＫとＭはＭ１の回転の作用でゆっくりと上下の複雑な動きをし、更に不規則な回転運動をする。【００８０】  これは軟質な物体上での音の鳴らない状況で、単体でも動く玩具としての機能をし、音を楽しむだけの嗜好品であるオルゴールとは別の用途を最小の部品点数と加工工程で実現した。【００８１】  縁起が良いので図５のＫは亀の形を模したが、Ｋは亀以外の生物や人工衛星等の人工物に一枚の板からのデザイン作成が出来る。
【実施例６】
【００８２】  現在研究中の請求項４の宙で固定される器具を横から見た図６である。【００８３】  宙で固定される事を目表としているので、それぞれある磁石Ｚは物体と非接触で使用する事が前提である。上記発明の効果に記載された目的に使う。【００８４】  永久磁石である図６にある全ての磁石Ｚが磁力で矢印向きに引っ張られ宙に固定されると思われ研究中である。
【産業上の利用可能性】
【００８５】  既存のゼンマイ式Ｍを使い、請求項２で実施する動く玩具としての利用が成される。【００８７】  既存の手動ハンドル式ムーブメントＨを使い、上記実施例２のＢの使用で音を楽しむだけの嗜好品であるオルゴールとは別の用途が考えられる。現在、日本国においての集合住宅には呼び鈴の無い部屋が多数存在し、部屋の扉が磁石に付く鉄製の扉のものがある。現行、その様な部屋に来客が来た際は扉をノックしてそこに住む家主に来訪を伝えている。その扉にＨを接着固定したＢを磁石によって接着固定する事により、本発明は電気動力の要らないエコロジーな呼び鈴としての利用が可能である。【００８８】  また、呼び鈴は本来、そこに住む家主が設置するものだが、反対に来客がこれを持ち利用し、携帯する呼び鈴としての今までにない新たな利用も考察される。【００８９】  現在も本発明者は本発明を使用しての上記実施例に無い実用的な使用法を模索研究中である。
【符号の説明】
【００９０】Ｚ    凸部先端に着いた磁石
Ｚ１  Ｚを設ける面
Ｏ    Ｍ１の為に開けられた穴
Ｍ    日本電産サンキョー商事製、ゼンマイ式
Ｍ１  日本電産サンキョー商事製、ゼンマイ式用Ｔ型のハンドル
Ａ    ゼンマイ式用のＺを設けた本発明器具本体
Ｈ    日本電産サンキョー商事製、ハンドル手動式
Ｈ１  日本電産サンキョー商事製、ハンドル手動式のハンドル
Ｊ    ネジ
Ｊ１  ネジ穴
ＪＪ  横長のスリット
Ｊ２  蝶ネジ
Ｂ    ハンドル手動式用のＺを設けた本発明器具本体
Ｉ    既存の軽量な小型オルゴール
Ｓ    磁石により接着固定出来る金属物体
Ａ２  ゼンマイ式用のＺを設けたＡでない本発明器具本体
Ｏ２  Ｏの場所であるハンドル軸から器具横に至る切り欠き部（斜線部）
Ｋ    ゼンマイ式用のＺを設けた亀の形を模した本発明器具本体
Ｘ    現在研究中の請求項４の器具
【図１】
0005255079.tif 000002
【図２】
0005255079.tif 000003
【図３】
0005255079.tif 000004
【図４】
0005255079.tif 000005
【図５】
0005255079.tif 000006
【図６】
0005255079.tif 000007